【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
画素毎に単一方向性の光路を呈する第１の光と双方向性の光路を呈する第２の光とを着色するためのカラーフィルタであって、
画素毎に前記第１の光を透過させる第１領域部と前記第２の光を透過させる第２領域部とを含み、
前記第１領域部と前記第２領域部とは、同一光路及び同一特性の光が透過したときに互いに異なる着色効果を呈する構造を有し、
前記第１及び第２領域部の各々は、入射光を拡散させることの可能な形状を有する複数の着色材構造体部により形成される表層部を有し、前記第１領域部の着色材構造体部と前記第２領域部の着色材構造体部は、前記着色効果を呈するような密度でそれぞれ形成されている、
カラーフィルタ。
【請求項２】
請求項１に記載のカラーフィルタであって、前記第１及び第２領域部の各々における着色材構造体部は、複数の単位パターンにてパターン化された着色材表面を有し、前記第１領域部と前記第２領域部とにおいてそれらの単位パターンの密度が異なることを特徴とするカラーフィルタ。
【請求項３】
請求項２に記載のカラーフィルタであって、前記単位パターンは凸状であり、前記第１領域部の単位パターンは、前記第２領域部の単位パターンよりも密であることを特徴とするカラーフィルタ。
【請求項４】
請求項２に記載のカラーフィルタであって、前記単位パターンは凹状であり、前記第１領域部の単位パターンは、前記第２領域部の単位パターンよりも疎であることを特徴とするカラーフィルタ。
【請求項５】
請求項１に記載のカラーフィルタであって、前記第１及び第２領域部の着色材構造体部は、それぞれ異なる第１及び第２の複数単位パターンにてパターン化された着色材表面を有し、前記第１領域部と前記第２領域部とは、それらの着色材形成密度が互いに異なる構造を有するよう、それらの単位パターンの密度が定められていることを特徴とするカラーフィルタ。
【請求項６】
請求項５に記載のカラーフィルタであって、前記第１の単位パターンは、凸状及び凹状のうちの一方を呈し、前記第２の単位パターンは、凸状及び凹状のうちの他方を呈することを特徴とするカラーフィルタ。
【請求項７】
請求項１に記載のカラーフィルタであって、前記着色材構造体部は、略半球状突起体である、ことを特徴とするカラーフィルタ。
【請求項８】
請求項１に記載のカラーフィルタであって、前記着色材構造体部は、略半球面状窪み体である、ことを特徴とするカラーフィルタ。
【請求項９】
画素毎に単一方向性の光路を呈する第１の光と双方向性の光路を呈する第２の光とを着色するためのカラーフィルタであって、
画素毎に前記第１の光を透過させる第１領域部と前記第２の光を透過させる第２領域部とを含み、
前記第１領域部と前記第２領域部とは、同一光路及び同一特性の光が透過したときに互いに異なる着色効果を呈する構造を有し、
前記第２領域部は、前記第２の光を着色させる着色部と、前記第２の光を略無着色にて透過させる少なくとも１つの無着色部とを有し、
前記着色部及び前記無着色部は、平面図視において角部のない略直線状の輪郭部分のみ当該画素領域内に現れるよう形成されている、
カラーフィルタ。
【請求項１０】
請求項９に記載のカラーフィルタであって、前記画素の領域は、平面図上略多角形であり、前記無着色部は、１つの画素の領域において前記多角形の１つの角の近傍に配されていることを特徴とするカラーフィルタ。
【請求項１１】
請求項９又は１０に記載のカラーフィルタであって、前記画素の領域は、平面図上略多角形であり、前記無着色部は、１つの画素の領域において前記多角形の１つの角を含みかつ当該角に対向する斜辺を有する略三角形の形状を呈することを特徴とするカラーフィルタ。
【請求項１２】
請求項１１に記載のカラーフィルタであって、前記無着色部は、前記平面図において二等辺三角形であることを特徴とするカラーフィルタ。
【請求項１３】
請求項９に記載のカラーフィルタであって、前記画素の領域は、平面図上略多角形であり、前記無着色部は、前記多角形のいずれか１つの側辺の近傍にその側辺に沿って形成されていることを特徴とするカラーフィルタ。
【請求項１４】
請求項９ないし１３のうちいずれか１つに記載のカラーフィルタであって、前記画素の領域の境界位置に施される遮蔽手段が設けられたときに、前記遮蔽手段が前記着色部及び前記無着色部の略直線状とみなされない輪郭部分の全てを当該カラーフィルタの表示面側に対して隠すようになる、ことを特徴とするカラーフィルタ。
【請求項１５】
請求項１４に記載のカラーフィルタであって、前記遮蔽手段は、ブラックマトリクスである、ことを特徴とするカラーフィルタ。
【請求項１６】
請求項１４に記載のカラーフィルタであって、前記遮蔽手段は、液晶表示装置に設けられるバスラインである、ことを特徴とするカラーフィルタ。
【請求項１７】
請求項１ないし１６のうちいずれか１つに記載のカラーフィルタであって、前記第１領域部と前記第２領域部とは、所定条件下における前記第１の光の前記第１領域部により施される画素内着色効果と前記第２の光の前記第２領域部により施される画素内着色効果とが略等しくなるような構造の差異がある、ことを特徴とするカラーフィルタ。
【請求項１８】
請求項１ないし１７のうちいずれか１つに記載のカラーフィルタであって、前記第１及び第２領域部は、同一着色材料で形成される、ことを特徴とするカラーフィルタ。
【請求項１９】
請求項１ないし１８のうちいずれか１つに記載のカラーフィルタであって、前記第１及び第２領域部を被覆する保護膜をさらに有することを特徴とするカラーフィルタ。
【請求項２０】
請求項９ないし１６のうちいずれか１つに記載のカラーフィルタであって、着色する色毎に１の画素領域における前記第２の光の光路の占める領域の有効面積に対する前記無着色部の有効面積の比が規定されていることを特徴とするカラーフィルタ。
【請求項２１】
請求項９ないし１６のうちいずれか１つに記載のカラーフィルタであって、着色する色毎に１の画素領域における前記第１の光の前記第１領域部の着色効果により得られる色度と前記第２の光の前記第２領域部の着色効果により得られる色度とが略等しくなるように前記無着色部の有効面積が定められていることを特徴とするカラーフィルタ。
【請求項２２】
請求項１ないし２１のうちいずれか１つに記載のカラーフィルタであって、
前記第１領域部は、平面図上円形又は丸みを帯びた形状である、ことを特徴とするカラーフィルタ。
【請求項２３】
画素毎に単一方向性の光路を呈する第１の光と双方向性の光路を呈する第２の光とを着色するカラーフィルタを製造する方法であって、
基体層上に前記第１及び第２の光を着色させるための着色材料を堆積する着色材堆積工程と、
前記着色材料の堆積層をもとに、画素毎に前記第１の光を透過させる第１領域部と前記第２の光を透過させる第２領域部とを、これら領域部が同一光路及び同一特性の光が透過したときに互いに異なる着色効果を呈する構造となるよう当該堆積層をパターン化する工程と、
を有し、
当該構造は、前記第１及び第２領域部の各々が、入射光を拡散させることの可能な形状を有する複数の着色材構造体部により形成される表層部を有し、前記第１領域部の着色材構造体部と前記第２領域部の着色材構造体部が、前記着色効果を呈するような密度でそれぞれ形成されるもの、又は前記第２領域部が、前記第２の光を着色させる着色部と、前記第２の光を略無着色にて透過させる少なくとも１つの無着色部とを有し、前記着色部及び前記無着色部が、平面図視において角部のない略直線状の輪郭部分のみ当該画素領域内に現れるよう形成されるものとする、
カラーフィルタの製造方法。
【請求項２４】
請求項２３に記載の方法であって、前記着色材堆積工程の前に、前記基体層上に画素領域を画定するブラックマトリクスを形成する工程をさらに有することを特徴とするカラーフィルタの製造方法。
【請求項２５】
請求項２３又は２４に記載の方法であって、前記第１領域部及び第２領域部上に保護層を少なくとも部分的に形成する工程をさらに有することを特徴とするカラーフィルタの製造方法。
【請求項２６】
請求項１ないし２２のうちいずれか１つに記載のカラーフィルタを用いた液晶表示装置の製造方法であって、
当該製造方法において、前記カラーフィルタは、当該液晶表示装置の一方の基板に設けられ、当該他方の基板には、前記第１の光を透過させる透過電極部と前記第２の光を反射させる反射電極部とを有する画素電極が設けられ、
当該製造方法は、前記カラーフィルタにおける前記第１領域部と前記透過電極部とを位置合わせし、又は前記第２領域部と前記反射電極部とを位置合わせする工程を有する、
液晶表示装置の製造方法。